(57)【要約】【課題】部品点数を削減して製造コストを安くするカード用コネクタを提供する。【解決手段】カード用コネクタ１に対して、絶縁性の支持体４と支持体４によって支持された端子部とを含むカード３が連結される。カード用コネクタ１が、樹脂製のハウジング３０と、接触部を有する複数のコンタクト４０とを備える。ハウジング３０が、カード３がカード挿入方向Ｘ１に挿入される挿入凹部Ｓが形成されたハウジング本体１０と、ハウジング本体１０から延設されたロックアーム２０とを含む。ロックアーム２０は、カード３の被ロック面（外側面４ｅ）に弾性的に直接係合することにより、カード３を挿入凹部Ｓに対する挿入完了位置に保持する。【選択図】図８Ｃ
2020149797.tif 000002
【特許請求の範囲】
【請求項１】
絶縁性の支持体と前記支持体によって支持された端子部とを含むカードが連結されるカード用コネクタであって、
前記カードがカード挿入方向に挿入される挿入凹部が形成されたハウジング本体と、
前記ハウジング本体から延設され、前記挿入凹部に挿入される前記カードの被ロック面に弾性的に直接係合することにより前記カードを前記挿入凹部に対する挿入完了位置に保持する片持ち状のロックアームと、
を含む樹脂製のハウジングと、
前記ハウジング本体に支持され前記挿入凹部内で前記カードの前記端子部と弾性接触する接触部を含むコンタクトと、を備える、カード用コネクタ。
【請求項２】
請求項１に記載のカード用コネクタにおいて、
前記ロックアームとして、前記カードの前記被ロック面としての一対の外側面を弾性的に挟持する一対のロックアームが設けられ、
前記一対のロックアームのそれぞれが、前記ハウジング本体に接続される基端部と、先端部と、前記挿入凹部に挿入される前記カードの対応する外側面に対向する対向部と、を含み、前記基端部を支点として弾性的に撓み変形可能であり、
前記一対のロックアームの前記対向部が、前記挿入完了位置にある前記カードの前記一対の外側面を挟持する一対の挟持部と、前記一対の挟持部よりもカード抜脱方向側に配置され前記カードの挿入を案内する一対の案内部と、を含む、カード用コネクタ。
【請求項３】
請求項２に記載のカード用コネクタにおいて、
前記一対の挟持部が、挟持状態で前記カード挿入方向と平行な挟持面を含む、カード用コネクタ。
【請求項４】
請求項２又は３に記載のカード用コネクタにおいて、
前記一対の挟持部が、挿入完了位置にある前記カードの前記一対の外側面の被挟持凹部を挟持するように構成され、
前記一対のロックアームのそれぞれが、前記挟持部よりもカード挿入方向側に配置された被駆動部であって、前記挿入凹部から前記カードが抜脱されるときに、前記カードの外側面において被挟持凹部よりも前記挿入側端部に配置される駆動凸部によって駆動されることにより、前記挟持部と前記被挟持凹部との係合を解除させる被駆動部を含む、カード用コネクタ。
【請求項５】
請求項１〜４の何れか一項に記載のカード用コネクタにおいて、
前記ハウジングが、前記カードに設けられる挿入空間に挿入される挿入凸部であって、前記挿入凹部内に配置されて前記コンタクトを保持する挿入凸部を含む、カード用コネクタ。
【請求項６】
請求項１〜５の何れか一項に記載のカード用コネクタにおいて、
前記ハウジング本体が、前記挿入完了位置で前記カードの挿入側端部が突き当てられる突き当て部を前記挿入凹部に面して含み、
前記挿入凹部に対して前記カードが挿入されるときに、前記ロックアームと前記カードの前記被ロック面との摩擦抵抗による第１挿入抵抗のピーク値が、前記端子部と前記コンタクトの前記接触部との摩擦抵抗による第２挿入抵抗のピーク値よりも大きくされている、カード用コネクタ。
【発明の詳細な説明】
【技術分野】
【０００１】
本発明は、カード用コネクタに関する。
【背景技術】
【０００２】
特許文献１では、メモリーカードなどのカード状媒体（以下では、単に「カード」という。）が連結されるカード用コネクタが提案されている。
特許文献１では、メタルシェルと絶縁ハウジングとの間に、カード受入空洞（挿入凹部）が形成されている。カード受入空洞に挿入されたカードと一体となってカード挿入方向及びカード抜脱方向にスライドされるスライド部材が、イジェクトスプリングによってカード抜脱方向に付勢されている。スライド部材及びイジェクトスプリング等により、カード排出機構が構成されている。
【０００３】
カード受入空洞にカードが完全に挿入された状態で、メタルシェルに設けられたスライドロックばねが、イジェクトスプリングに抗してスライド部材をロックする。これにより、カードが、スライド部材を介して間接的にロックされ、カードとカード用コネクタとの機械的、電気的な接続が安定して維持される。
また、前記スライド部材に対する前記スライドロックばねのロックが解除されて、前記イジェクトスプリングに付勢されたカードが受入空洞から排出されるときに、メタルシェルに設けられた飛び出し防止ばねが、カードに形成された凹部に係合することにより、カードの飛び出しが防止される。
【先行技術文献】
【特許文献】
【０００４】
【特許文献１】特開２００５−２０９５７４号公報
【発明の概要】
【発明が解決しようとする課題】
【０００５】
特許文献１では、カード受入空洞（挿入凹部）が、メタルシェルと絶縁ハウジングとの二部品の間に形成される。また、完全挿入状態のカードが、メタルシェルと一体のスライドロックばねによって、スライド部材を介して間接的にロックされる構造である。このため、部品点数が多く、製造コストが高い。
本発明の目的は、部品点数を削減して製造コストを安くすることができるカード用コネクタを提供することである。
【課題を解決するための手段】
【０００６】
請求項１に記載の発明は、絶縁性の支持体（４）と前記支持体によって支持された端子部（５ｂ）とを含むカード（３）が連結されるカード用コネクタ（１）であって、前記カードがカード挿入方向（Ｘ１）に挿入される挿入凹部（Ｓ）が形成されたハウジング本体（１０；１０Ｐ；１０Ｑ；１０Ｒ）と、前記ハウジング本体から延設され、前記挿入凹部に挿入される前記カードの被ロック面（４ｅ，４ｅ；４ａ；４ｂ）に弾性的に直接係合することにより前記カードを前記挿入凹部に対する挿入完了位置に保持する片持ち状のロックアーム（２０；２０Ｐ；２０Ｑ；２０Ｒ）と、を含む樹脂製のハウジング（３０；３０Ｐ；３０Ｑ；３０Ｒ）と、前記ハウジング本体に支持され前記挿入凹部内で前記カードの前記端子部と弾性接触する接触部（４２）を含むコンタクト（４０）と、を備える、カード用コネクタを提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、請求項１において、前記ロックアームとして、前記カードの前記被ロック面としての一対の外側面を弾性的に挟持する一対のロックアーム（２０，２０；２０Ｐ，２０Ｐ）が設けられ、前記一対のロックアームのそれぞれが、前記ハウジング本体に接続される基端部（２０ａ；２０Ｐａ）と、先端部（２０ｂ；２０Ｐｂ）と、前記挿入凹部に挿入される前記カードの対応する外側面に対向する対向部（２０ｃ；２０Ｐｃ）と、を含み、前記基端部を支点として弾性的に撓み変形可能であり、前記一対のロックアームの前記対向部が、前記挿入完了位置にある前記カードの前記一対の外側面を挟持する一対の挟持部（２１；２１Ｐ）と、前記一対の挟持部よりもカード抜脱方向（Ｘ２）側に配置され前記カードの挿入を案内する一対の案内部（２２；２２Ｐ）と、を含んでいてもよい。
【０００８】
請求項３に記載の発明のように、請求項２において、前記一対の挟持部が、挟持状態で前記カード挿入方向と平行な挟持面（２１；２１Ｐ）を含んでいてもよい。
請求項４に記載の発明のように、請求項２又は３において、前記一対の挟持部が、挿入完了位置にある前記カードの前記一対の外側面の被挟持凹部を挟持するように構成され、前記一対のロックアームのそれぞれが、前記挟持部よりもカード挿入方向側に配置された被駆動部（２３；２３Ｐ）であって、前記挿入凹部から前記カードが抜脱されるときに、前記カードの外側面において被挟持凹部よりも前記挿入側端部に配置される駆動凸部（４ｐ）によって駆動されることにより、前記挟持部と前記被挟持凹部との係合を解除させる被駆動部を含んでいてもよい。
【０００９】
請求項５に記載の発明のように、請求項１〜４の何れか一項において、前記ハウジングが、前記カードに設けられる挿入空間（４ｆ）に挿入される挿入凸部（１５）であって、前記挿入凹部内に配置されて前記コンタクトを保持する挿入凸部を含んでいてもよい。
請求項６に記載の発明のように、請求項１〜５の何れか一項において、前記ハウジング本体が、前記挿入完了位置で前記カードの挿入側端部（４ｃ）が突き当てられる突き当て部（Ｕ）を前記挿入凹部に面して含み、前記挿入凹部に対して前記カードが挿入されるときに、前記ロックアームと前記カードの前記被ロック面との摩擦抵抗による第１挿入抵抗のピーク値が、前記端子部と前記コンタクトの前記接触部との摩擦抵抗による第２挿入抵抗のピーク値よりも大きくされていてもよい。
【発明の効果】
【００１０】
請求項１に記載の発明では、樹脂製のハウジングが、挿入凹部を形成するハウジング本体と、該ハウジング本体から一体に延設されカードの被ロック面に弾性的に直接係合することによりカードを挿入完了位置に保持するロックアームとを含む。このため、部品点数を削減して製造コストを安くすることができる。
請求項２に記載の発明では、カードの挿入時に、カードの外側面が、基端部を支点として弾性的に撓まされる一対のロックアームの案内部によって案内され、次いで、カードが挿入完了位置に達する状態で、カードの外側面が、一対のロックアームの挟持部によって挟持される。このため、挿入完了状態のカードを安定して保持することができる。
【００１１】
請求項３に記載の発明では、挿入完了位置にあるカードの一対の外側面が、一対のロックアームの挟持面であってカード挿入方向と平行な挟持面によって挟持される。このため、挿入完了状態のカードをより安定して保持することができる。
請求項４に記載の発明では、挿入されるカードに対して、一対のロックアームの挟持部が、カードの一対の外側面の駆動凸部を乗り越えて一対の被挟持凹部を挟持する状態となる。このため、カードの挿入完了時にクリック感を得ることができ、ユーザの操作感に優れる。また、カードを抜脱するときは、カードの駆動凸部がロックアームの被駆動部を駆動することで、ロックアームの挟持部とカードの被挟持凹部との係合が解除されるため、カードの抜脱が容易である。
【００１２】
請求項５に記載の発明では、挿入凸部がカードの挿入空間に挿入されることにより、いわゆる二重嵌合構造となり、挿入完了状態のカードを安定して保持することができる。
請求項６に記載の発明では、カードの挿入時において、ロックアームとカードの被ロック面との摩擦抵抗による第１挿入抵抗のピーク値が、カードの端子部とコンタクトの接触部との摩擦抵抗による第２挿入抵抗のピーク値よりも大きくなるようにされる。このため、カードの挿入時の慣性によって、カードの挿入側端部が挿入凹部に面する突き当て部に突き当てられる。したがって、カードが挿入完了位置まで確実に挿入されて、ロックアームによるロックが達成される、いわゆる慣性ロックを実現することができる。このため、特許文献１のようなカード排出機構や飛び出し防止ばねが不要であり、この点からも製造コストを安くすることができる。
【図面の簡単な説明】
【００１３】
【図１Ａ】図１Ａは、本発明の第１実施形態に係るカード用コネクタと挿入前のカードの概略斜視図である。
【図１Ｂ】図１Ｂは、カード用コネクタと挿入完了状態のカードの概略斜視図である。
【図２Ａ】図２Ａは、カードの平面図である。
【図２Ｂ】図２Ｂは、カードの前面図である。
【図２Ｃ】図２Ｃは、カードの一部破断底面図である。
【図３Ａ】図３Ａは、斜め上方から見たカード用コネクタの斜視図である。
【図３Ｂ】図３Ｂは、斜め下方から見たカード用コネクタの斜視図である。
【図４Ａ】図４Ａは、カード用コネクタの平面図である。
【図４Ｂ】図４Ｂは、カード用コネクタの前面図である。
【図４Ｃ】図４Ｃは、カード用コネクタの後面図である。
【図５】図５は、カード用コネクタのハウジングの一部破断斜視図である。
【図６】図６は、カード用コネクタのハウジングの断面図である。
【図７】図７は、コンタクトが収容されたコンタクト収容溝に沿って切断されたカード用コネクタの概略断面図である。
【図８Ａ】図８Ａは、カード挿入前のカード用コネクタの概略断面図である。
【図８Ｂ】図８Ｂは、カード挿入初期のカード用コネクタの概略断面図である。
【図８Ｃ】図８Ｃは、カード挿入完了状態のカード用コネクタの概略断面図である。
【図９Ａ】図９Ａは、斜め挿入されるカードの挿入初期段階でのカード用コネクタの概略断面図である。
【図９Ｂ】図９Ｂは、斜め挿入されるカードの挿入完了の直前の段階でのカード用コネクタの概略断面図である。
【図９Ｃ】図９Ｃは、斜め挿入されるカードの挿入完了段階でのカード用コネクタの概略断面図である。
【図１０】図１０は、本発明の第２実施形態に係るカード用コネクタの断面図である。
【図１１】図１１は、本発明の第３実施形態に係るカード用コネクタの斜め上方からの斜視図である。
【図１２】図１２は、第３実施形態のカード用コネクタのロックアームの周辺の構造の概略断面図である。
【図１３】図１３は、本発明の第４実施形態に係るカード用コネクタの斜め下方からの斜視図である。
【図１４】図１４は、第４実施形態のカード用コネクタのロックアームの周辺の構造の概略断面図である。
【発明を実施するための形態】
【００１４】
以下、本発明を具体化した実施形態を図面に従って説明する。
（第１実施形態）
図１Ａは、本発明の第１実施形態に係るカード用コネクタと挿入前のカードの概略斜視図である。図１Ｂは、カード用コネクタと挿入完了状態のカードの概略斜視図である。
図１Ａ及び図１Ｂに示すように、カード用コネクタ１は、例えば基板２（図４Ｂを参照）に実装されるリセプタクル型コネクタである。カード用コネクタ１に対してカード挿入方向Ｘ１に挿入されるカード３は、例えばフラッシュメモリを用いるメモリーカードである。
【００１５】
まず、カード３を説明する。
図２Ａは、カード３の平面図である。図２Ｂは、カード３の前面図である。図２Ｃは、カード３の一部破断底面図である。図２Ａ〜図２Ｃを参照して、カード３は、樹脂製の支持体としてのカードケース４と、カードケース４内に収容され、電子部品（図示せず）が実装された回路基板５とを備える。
【００１６】
カードケース４は、上面４ａと、下面４ｂと、挿入側端部である前面４ｃと、後面４ｄと、一対の被ロック面としての外側面４ｅとを含む。カードケース４には、カード挿入方向Ｘ１に向けて前面４ｃ（挿入側端部）に開口する挿入空間４ｆが形成されている。図２Ｂに示すように、挿入空間４ｆは、内上面４ｇと、内下面４ｈと、一対の内側面４ｋとによって区画されている。
【００１７】
図２Ｃに示すように、回路基板５の前端部５ａ（カード挿入方向Ｘ１側の端部）の表面は、挿入空間４ｆ内に配置され、内上面４ｇの一部を形成している。回路基板５の前端部５ａの表面には、カード挿入方向Ｘ１に延びる複数の端子部５ｂが幅方向Ｗ（カード挿入方向Ｘ１に対して直交する方向）に並べて配置されている。すなわち、複数の端子部５ｂが、挿入空間４ｆ内に露出している。
【００１８】
図２Ａ及び図２Ｃに示すように、カードケース４の各外側面４ｅ（被ロック面）には、カード３のカードケース４の挿入側端部である前面４ｃに近い位置に、被挟持凹部４ｍが形成されている。カード３が挿入完了位置にある状態で、カードケース４の被挟持凹部４ｍは、カード用コネクタ１の後述する一対のロックアーム２０によって挟持される（図８Ｃを参照）。
【００１９】
カードケース４の各外側面４ｅにおいて、被挟持凹部４ｍよりもカード挿入方向Ｘ１側に配置される部分が、被挟持凹部４ｍに対して外側方に突出する駆動凸部４ｐを形成している。
次いで、カード用コネクタ１を説明する。
図３Ａは、斜め上方から見たカード用コネクタ１の斜視図である。図３Ｂは、斜め下方から見たカード用コネクタ１の斜視図である。図４Ａは、カード用コネクタ１の平面図である。図４Ｂは、カード用コネクタ１の前面図である。図４Ｃは、カード用コネクタ１の後面図である。
【００２０】
図３Ａ，図３Ｂ，図４Ａ〜図４Ｃに示すように、カード用コネクタ１は、ハウジング本体１０と一対のロックアーム２０とを含む樹脂製のハウジング３０と、複数のコンタクト４０と、一対の補強タブ５０とを備えている。
図５は、カード用コネクタ１のハウジング３０の一部破断斜視図である。図６は、カード用コネクタ１のハウジング３０の断面図である。
【００２１】
図３Ａ，図３Ｂ，図４Ａ〜図４Ｃ，図５及び図６を参照して、ハウジング３０を説明する。
ハウジング本体１０は、天壁部１１と、底壁部１２と、一対の側壁部１３と、後壁部１４と、挿入凸部としての内部壁部１５と、一対の保持壁１６とを含む。天壁部１１と、底壁部１２と、一対の側壁部１３と、後壁部１４とによって、前方に開放する挿入凹部Ｓが区画形成されている。後壁部１４の内面１４ａが、挿入完了位置のカード３の挿入側端部である前面４ｃが突き当てられる突き当て部Ｕを構成している。突き当て部Ｕは、挿入凹部Ｓに面している。
【００２２】
挿入凸部としての内部壁部１５は、後壁部１４から前方へ延びており、天壁部１１と底壁部１２とに平行である。カード３が、カード用コネクタ１のハウジング本体１０の挿入凹部Ｓに挿入されるときに、内部壁部１５は、カード３のカードケース４の挿入空間４ｆに挿入される。幅方向Ｗに関して、挿入空間４ｆの幅（一対の内側面４ｋ間の間隔）は、内部壁部１５（挿入凸部）の幅よりも僅かに大きくされている。このため、挿入空間４ｆに対する内部壁部１５の嵌合によって、カード３の過度な斜め挿入が抑制される。
【００２３】
図５及び図６に示すように、後壁部１４には、コンタクト固定孔１７が貫通形成されている。各内部壁部１５には、コンタクト固定孔１７に連通し前後方向に延びるコンタクト収容溝１８が横並びに形成されている。コンタクト収容溝１８は、内部壁部１５を上下（カード挿入方向Ｘ１及び幅方向Ｗの双方と直交する高さ方向Ｈ）に貫通する貫通溝からなる（図７を参照）。
【００２４】
各保持壁１６は、対応する側壁部１３から外側方に突出形成されている。ハウジング本体１０において、一対の保持壁１６よりも下位に配置される部分が、基板２に設けられる貫通孔を通して基板２の裏面２ｂから突出される（図４Ｂを参照）。
図３Ａ及び図３Ｂに示すように、各保持壁１６には、補強タブ５０が圧入される圧入溝１６ａが形成されている。各補強タブ５０の先端部は、基板２の挿通孔に挿通され、基板２の裏面２ｂの導体部に半田付けにより固定される（図４Ｂを参照）。
【００２５】
次いで、コンタクト４０を説明する。
コンタクト４０は、金属材料製であり、カード３の端子部５ｂと同数設けられている。図７は、コンタクト収容溝１８に沿って切断されたカード用コネクタ１の概略断面図である。図７に示すように、コンタクト４０は、ハウジング本体１０によって支持されている。コンタクト４０は、固定部４１と、接触部４２を含む弾性アーム部４３と、リード部４４とを備える。
【００２６】
固定部４１は、略矩形板状に形成されており、ハウジング本体１０の後壁部１４のコンタクト固定孔１７に圧入固定される。具体的には、固定部４１は、圧入によりハウジング本体１０に係止される係止突起（図示せず）を有している。
リード部４４は、固定部４１からカード挿入方向Ｘ１に延び、後壁部１４から後方へ突出している。リード部４４は、基板２の表面２ａの導体部に対して半田付けにより固定される。
【００２７】
弾性アーム部４３は、固定部４１から前方（カード抜脱方向Ｘ２）に対して斜め上向きに延びている。弾性アーム部４３は、固定部４１に接続された基端部４３ａと、先端部４３ｂと、先端部４３ｂに隣接して配置された山形凸部４３ｃとを含む。接触部４２は、山形凸部４３ｃの頂部によって形成されている。接触部４２は、挿入凹部Ｓ内で、カード３の端子部５ｂ（図２Ｃを参照）と弾性接触する。
【００２８】
図７に示すように、弾性アーム部４３は、基端部４３ａを支点として弾性的に揺動変位される。カード３が未挿入の状態で、弾性アーム部４３の先端部４３ｂが、内部壁部１５の前端１５ａに係合されている。これにより、内部壁部１５の上面１５ｂからの、接触部４２の突出量が規制されている。
次いで、ロックアーム２０を説明する。
【００２９】
一対のロックアーム２０は、挿入凹部Ｓに挿入されるカード３の一対の外側面４ｅの被挟持凹部４ｍを弾性的に挟持することにより、カード３を挿入完了位置に保持する機能を果たす（図８Ｃを参照）。
具体的には、図６に示すように、ロックアーム２０は、ハウジング本体１０と一体成形されている。具体的には、ハウジング本体１０の各側壁部１３の内側面１３ａには、挿入凹部Ｓに連通するロックアーム収容溝１９が、形成されている。ロックアーム収容溝１９は、カード挿入方向Ｘ１に延びている。
【００３０】
ロックアーム２０は、基端部２０ａと、先端部２０ｂと、挿入時のカード３の外側面４ｅに対向する対向部２０ｃとを含む。基端部２０ａは、挿入凹部Ｓの入口に配置されており、ハウジング本体１０のロックアーム収容溝１９の底に接続されている。先端部２０ｂは、基端部２０ａに対してカード挿入方向Ｘ１側に配置されている。
ロックアーム２０は、基端部２０ａから先端部２０ｂに向けて、カード挿入方向Ｘ１に対して傾斜状に形成された片持ち状のアームである。ロックアーム２０は、基端部２０ａを支点部として、弾性的に揺動変位（撓み変位）される。
【００３１】
カード３が未挿入の状態で自由状態になる一対のロックアーム２０の先端部２０ｂ間の間隔が、基端部２０ａ間の間隔よりも小さくされている（図６参照）。
一対のロックアーム２０の対向部２０ｃは、挿入凹部Ｓに臨む位置に配置されている。各対向部２０ｃは、基端部２０ａから先端部２０ｂまで延びている。一対のロックアーム２０の対向部２０ｃは、一対の挟持部としての挟持面２１と、一対の案内部２２と、一対の被駆動部２３とを含む。
【００３２】
一対の挟持面２１は、挿入完了位置にあるカード３のカードケース４の一対の外側面４ｅを挟持する。一対の挟持面２１は、カード３の一対の外側面４ｅの被挟持凹部４ｍを挟持する状態で、カード挿入方向Ｘ１に対して平行とされている。すなわち、一対の挟持面２１は、一対の被挟持凹部４ｍに対して面接触する状態で一対の被挟持凹部４ｍを弾性的に挟持し、カード３を挿入完了位置に保持する。
【００３３】
一対の案内部２２は、一対の挟持面２１に対してカード抜脱方向Ｘ２側に配置されており、カード３の挿入をカードケース４の外側面４ｅに摺接しつつ案内する。自由状態の一対のロックアーム２０において、一対の案内部２２は、カード挿入方向Ｘ１に対して傾斜する傾斜面で形成されている。すなわち、自由状態の一対のロックアーム２０において、一対の案内部２２間の間隔は、カード挿入方向Ｘ１に向かうにしたがって、小さくされている。
【００３４】
一対の被駆動部２３は、一対の挟持面２１に対してカード挿入方向Ｘ１側に配置されている。挿入凹部Ｓからカード３が抜脱されるときに、各被駆動部２３は、カード３のカードケース４の外側面４ｅの被挟持凹部４ｍに対してカード挿入方向Ｘ１側（挿入側端部側）に配置される駆動凸部４ｐによって駆動されることにより、挟持面２１と被挟持凹部４ｍとの係合を解除させる働きをする。
【００３５】
次いで、カード用コネクタ１がカード３を連結する動作を説明する。
図８Ａは、カード挿入前のカード用コネクタ１の概略断面図である。図８Ｂは、カード挿入初期のカード用コネクタ１の概略断面図である。図８Ｃは、カード挿入完了状態のカード用コネクタ１の概略断面図である。
図８Ａ，図８Ｂに示すように、カード３をカードケース４の挿入側端部（前面４ｃ）側からカード用コネクタ１の挿入凹部Ｓに挿入する。
【００３６】
図８Ｂに示すように、挿入凹部Ｓに対するカード３の挿入初期の状態では、カード３のカードケース４の一対の外側面４ｅの駆動凸部４ｐが、カード用コネクタ１の一対のロックアーム２０の案内部２２によって案内される。
図８Ｂに示される挿入初期の状態からカード３をさらに挿入すると、一対のロックアーム２０の案内部２２に摺接するカード３の一対の駆動凸部４ｐによって、一対のロックアーム２０が、一旦、最も大きく撓まされた後、図８Ｃに示される挿入完了位置で、一対の駆動凸部４ｐと一対のロックアーム２０との係合が解除され、一対のロックアーム２０の挟持面２１が、カード３の一対の外側面４ｅの被挟持凹部４ｍと係合する。
【００３７】
挿入凹部Ｓに対してカード３が挿入されるときに、一対のロックアーム２０とカード３の一対の外側面４ｅ（駆動凸部４ｐ）との摩擦抵抗による第１挿入抵抗のピーク値が、全ての端子部５ｂとコンタクト４０の接触部４２との摩擦抵抗による第２挿入抵抗のピーク値よりも大きくされている。
なお、ロックアーム２０の一対の挟持面２１が、一対の駆動凸部４ｐを挟持する状態のときに、前記第１挿入抵抗のピーク値が発生する。
【００３８】
本実施形態によれば、樹脂製のハウジング３０が、挿入凹部Ｓを形成するハウジング本体１０と、該ハウジング本体１０から一体に延設されカード３の被ロック面（外側面４ｅ）に弾性的に直接係合することによりカード３を挿入完了位置に保持するロックアーム２０とを含む。すなわち、挿入凹部Ｓが単一の部品（樹脂製のハウジング３０）により形成され、該単一の部品（樹脂製のハウジング３０）にカード３に直接係合するロックアーム２０が設けられている。このため、部品点数を削減して製造コストを安くすることができる。また、小型化を達成することができる。
【００３９】
また、カード３の挿入時において、一対のロックアーム２０とカード３の一対の外側面４ｅとの摩擦抵抗による第１挿入抵抗のピーク値が、カード３の全ての端子部５ｂとコンタクト４０の接触部４２との摩擦抵抗による第２挿入抵抗のピーク値よりも大きくされる。このため、カード３の挿入時の慣性によって、カード３の挿入側端部（前面４ｃ）が挿入凹部Ｓに面する突き当て部Ｕ（後壁部１４の内面１４ａ）に突き当てられる。したがって、カード３が挿入完了位置まで確実に挿入されて、ロックアーム２０によるロックが達成される、いわゆる慣性ロックを実現することができる。このため、特許文献１のようなカード排出機構や飛び出し防止ばねが不要であり、この点からも製造コストを安くすることができる。
【００４０】
また、慣性ロックを用いることにより、カード３の斜め挿入を抑制することができる。すなわち、図９Ａ（図９Ａでは、簡略化のためコンタクト４０の図示を省略してある）に示すように、カード３の挿入初期段階で、カード３の外側面４ｅが、正規のカード挿入方向Ｘ１に対して傾斜していたとしても、一対のロックアーム２０の案内部２２の案内によって、カード３の外側面４ｅと正規のカード挿入方向Ｘ１との傾斜角度が小さくなる側にカード３の姿勢が矯正される。
【００４１】
そして、図９Ｂ及び図９Ｃ（図９Ｂ及び図９Ｃでは、簡略化のためコンタクト４０の図示を省略してある）に示すように、カード３の挿入側端部（前面４ｃ）の幅方向Ｗの一方側（例えば右側）の端部が、突き当て部Ｕ（内面１４ａ）に突き当てられた後、慣性力によって、カード３の挿入側端部（前面４ｃ）の幅方向Ｗの他方側（例えば左側）の端部が、突き当て部Ｕ（内面１４ａ）に突き当てられる。このため、カード３が、正しい姿勢で挿入完了位置に挿入されることになる。これにより、カード３の半嵌合が抑制されるため、コンタクト４０と端子部５ｂとの接触不良の発生を抑制することができる。
【００４２】
また、カード３の挿入時に、カード３の外側面４ｅが、基端部２０ａを支点として弾性的に撓まされる一対のロックアーム２０の案内部２２によって案内され、次いで、カード３が挿入完了位置に達する状態で、カード３の外側面４ｅが、一対のロックアーム２０の挟持部（挟持面２１）によって挟持される。このため、挿入完了状態のカード３を安定して保持することができる。
【００４３】
特に、挿入完了位置にあるカード３の一対の外側面４ｅが、一対のロックアーム２０において、カード挿入方向Ｘ１と平行な挟持面２１によって挟持される。このため、挿入完了状態のカード３をより安定して保持することができる。
また、挿入されるカード３に対して、一対のロックアーム２０の挟持面２１が、カードの一対の外側面４ｅの駆動凸部４ｐを乗り越えて一対の被挟持凹部４ｍを弾性的に挟持する状態となる。このため、カード３の挿入時にクリック感（締結感）を得ることができ、ユーザの操作感に優れる。また、カード３をカード抜脱方向Ｘ２へ抜脱するときは、カード３の駆動凸部４ｐがロックアーム２０の先端部２０ｂの被駆動部２３を駆動することにより、ロックアーム２０の挟持面２１とカード３の被挟持凹部４ｍとの係合が解除されるため、カード３の抜脱が容易である。
【００４４】
また、ハウジング３０のハウジング本体１０が、挿入凹部Ｓ内に、コンタクトを保持する挿入凸部（内部壁部１５）を含み、該内部壁部１５が、カード３の挿入空間４ｆに挿入される。これにより、いわゆる二重嵌合構造となり、挿入完了状態のカード３を安定して保持することができる。
また、ロックアーム２０の形状の変更により、挿入凹部Ｓに対するカード３の挿抜力を容易に調整することができる。
（第２実施形態）
図１０は、本発明の第２実施形態に係るカード用コネクタ１のハウジング３０Ｐの断面図である。
【００４５】
図１０の第２実施形態のハウジング３０Ｐが、図６の第１実施形態のハウジング３０と主に異なるのは、下記である。すなわち、図１０に示すように、ハウジング３０Ｐが、ハウジング本体１０Ｐと、ハウジング本体１０Ｐと一体成形された一対のロックアーム２０Ｐとを備えている。
各ロックアーム２０Ｐは、基端部２０Ｐａと、先端部２０Ｐｂと、挿入凹部Ｓに臨む対向部２０Ｐｃとを含む。先端部２０Ｐｂは、挿入凹部Ｓの入口に配置されており、ハウジング本体１０のロックアーム収容溝１９の底に接続されている。基端部２０Ｐａは、先端部２０Ｐｂに対してカード挿入方向Ｘ１側に配置されている。ロックアーム２０は、基端部２０Ｐａを支点部として、弾性的に揺動変位（撓み変位）される。
【００４６】
一対のロックアーム２０Ｐの対向部２０Ｐｃが、一対の挟持部としての挟持面２１Ｐと、一対の案内部２２Ｐと、一対の被駆動部２３Ｐとを含む。一対の案内部２２Ｐは、一対の挟持面２１Ｐに対してカード抜脱方向Ｘ２側に配置されている。一対の被駆動部２３Ｐは、一対の挟持面２１Ｐに対してカード挿入方向Ｘ１側に配置されている。
第２実施形態においても、部品点数を削減して製造コストを安くすることができる等、第１実施形態と同じ効果を奏することができる。また、ロックアーム２０Ｐの延びる方向を第１実施形態のロックアーム２０の延びる方向とは逆向きにすることにより、設計の自由度を増大することができる。
（第３実施形態）
図１１は、本発明の第３実施形態に係るカード用コネクタ１Ｑの斜め上方からの斜視図である。図１２は、ロックアーム２０Ｑの周辺の構造の概略断面図である。
【００４７】
図１１に示すように、第３実施形態のカード用コネクタ１Ｑでは、樹脂製のハウジング３０Ｑが、ハウジング本体１０Ｑと、ハウジング本体１０Ｑの天壁部１１Ｑに形成された矩形状の窓部６０のカード挿入方向Ｘ１側の縁部から挿入凹部Ｓに臨むように延設された一対のロックアーム２０Ｑとを含む。一対のロックアーム２０Ｑは、幅方向Ｗに離隔して配置されている。
【００４８】
図１２に示すように、各ロックアーム２０Ｑは、ハウジング本体１０Ｑに接続される基端部２０Ｑａと、自由端部である先端部２０Ｑｂと、カード３の被ロック面としての上面４ａに対向する対向部２０Ｑｃとを含む。対向部２０Ｑｃは、弾性押圧部２１Ｑと、案内部２２Ｑと、被駆動部２３Ｑとを含む。
案内部２２Ｑは、カード３の挿入を案内する。弾性押圧部２１Ｑは、案内部２２Ｑよりもカード挿入方向Ｘ１側に配置され、挿入完了位置にあるカード３の被ロック面としての上面４ａに弾性的に押圧係合する。被駆動部２３Ｑは、抜脱時のカード３の駆動凸部４ｐによって駆動される。
【００４９】
第３実施形態においても、部品点数を削減して製造コストを安くすることができる等、第１実施形態と同じ効果を奏することができる。
（第４実施形態）
図１３は、本発明の第４実施形態に係るカード用コネクタ１Ｒの斜め下方からの斜視図である。図１４は、ロックアーム２０Ｑの周辺の構造の概略断面図である。
【００５０】
図１３に示すように、第４実施形態のカード用コネクタ１Ｒでは、樹脂製のハウジング３０Ｒが、ハウジング本体１０Ｒと、ハウジング本体１０Ｒの底壁部１２Ｒに形成された矩形状の窓部７０のカード挿入方向Ｘ１側の縁部から挿入凹部Ｓに臨むように延設された一対のロックアーム２０Ｒとを含む。一対のロックアーム２０Ｒは、幅方向Ｗに離隔して配置されている。
【００５１】
図１４に示すように、各ロックアーム２０Ｒは、ハウジング本体１０Ｒに接続される基端部２０Ｒａと、自由端部である先端部２０Ｒｂと、カード３の被ロック面としての下面４ｂに対向する対向部２０Ｒｃを含む。対向部２０Ｒｃは、弾性押圧部２１Ｒと、案内部２２Ｒと、被駆動部２３Ｒとを含む。
案内部２２Ｒは、カード３の挿入を案内する。弾性押圧部２１Ｒは、案内部２２Ｒよりもカード挿入方向Ｘ１側に配置され、挿入完了位置にあるカード３の被ロック面としての下面４ｂに弾性的に押圧係合する。被駆動部２３Ｒは、抜脱時のカード３の駆動凸部４ｐによって駆動される。
【００５２】
第４実施形態においても、部品点数を削減して製造コストを安くすることができる等、第１実施形態と同じ効果を奏することができる。
本発明は、前記実施形態に限定されるものではなく、例えば、第１及び第２実施形態において、カード３のカードケース４の被ロック面としての外側面４ｅにおいて、被挟持凹部４ｍを設けないで、外側面４ｅを平坦面で形成してもよい。
【００５３】
また、第３実施形態において、ロックアーム２０Ｑの先端部２０Ｑｂが、基端部２０Ｑａよりもカード挿入方向Ｘ１側に配置されてもよい。また、第４実施形態において、ロックアーム２０Ｒの先端部２０Ｒｂが、基端部２０Ｒａよりもカード挿入方向Ｘ１側に配置されてもよい。
また、図示していないが、図３Ａの第１実施形態、図１０の第２実施形態及び図１１の第３実施形態において、底壁部１２の構成が無い状態で、挿入凹部Ｓの一部が基板２の表面２ａによって区画されてもよい。
【００５４】
その他、本発明は、特許請求の範囲記載の範囲内で種々の変更を施すことができる。
【符号の説明】
【００５５】
１；１Ｑ；１Ｒ  カード用コネクタ
３  カード
４  カードケース（支持体）
４ｃ  前面（挿入側端部）
４ｅ  外側面（被ロック面）
４ｆ  挿入空間
４ｍ  被挟持凹部
４ｐ  駆動凸部
５  回路基板
５ｂ  端子部
１０；１０Ｐ；１０Ｑ；１０Ｒ  ハウジング本体
１４  後壁部
１４ａ  内面（突き当て部）
１５  内部壁部（挿入凸部）
１７  コンタクト固定孔
１８  コンタクト収容溝
１９  ロックアーム収容溝
２０；２０Ｐ；２０Ｑ；２０Ｒ  ロックアーム
２０ａ：２０Ｐａ；２０Ｑａ；２０Ｒａ  基端部
２０ｂ；２０Ｐｂ；２０Ｑｂ；２０Ｒｂ  先端部
２０ｃ；２０Ｐｃ；２０Ｒｃ  対向部
２１；２１Ｐ  挟持面（挟持部）
２１Ｑ  弾性押圧部
２２；２２Ｐ；２２Ｑ  案内部
２３；２３Ｐ；２３Ｑ  被駆動部
３０；３０Ｐ；３０Ｑ；３０Ｒ  ハウジング
４０  コンタクト
４２  接触部
４３  弾性アーム部
４４  リード部
６０  窓部
７０  窓部
Ｓ  挿入凹部
Ｕ  突き当て部
Ｘ１  カード挿入方向
Ｘ２  カード抜脱方向
【図１Ａ】
2020149797.tif 000003
【図１Ｂ】
2020149797.tif 000004
【図２Ａ】
2020149797.tif 000005
【図２Ｂ】
2020149797.tif 000006
【図２Ｃ】
2020149797.tif 000007
【図３Ａ】
2020149797.tif 000008
【図３Ｂ】
2020149797.tif 000009
【図４Ａ】
2020149797.tif 000010
【図４Ｂ】
2020149797.tif 000011
【図４Ｃ】
2020149797.tif 000012
【図５】
2020149797.tif 000013
【図６】
2020149797.tif 000014
【図７】
2020149797.tif 000015
【図８Ａ】
2020149797.tif 000016
【図８Ｂ】
2020149797.tif 000017
【図８Ｃ】
2020149797.tif 000018
【図９Ａ】
2020149797.tif 000019
【図９Ｂ】
2020149797.tif 000020
【図９Ｃ】
2020149797.tif 000021
【図１０】
2020149797.tif 000022
【図１１】
2020149797.tif 000023
【図１２】
2020149797.tif 000024
【図１３】
2020149797.tif 000025
【図１４】
2020149797.tif 000026